(57)【特許請求の範囲】
【請求項１】
スパウト付きガゼット袋であって、
前記ガゼット袋は胴体部表面部、胴体部裏面部、胴体部右側面部、胴体部左側面部、及び、キャップを備えたスパウトを含み、
前記胴体部表面部及び前記胴体部裏面部は、その上部の２つのコーナーがカットされた２つの上肩部と、その下部の２つのコーナーがカットされた２つの下肩部を有する略六角形状を有し、
前記胴体部右側面部及び前記胴体部左側面部は、前記ガゼット袋の上下方向で、その中央部において内側に折り込まれており、これらの胴体部右側面部及び胴体部左側面部は、前記胴体部表面部及び前記胴体部裏面部の間で、胴体部右側面部が前記胴体部表面部及び前記胴体部裏面部の相対する右側各辺と一致するように重ね合わされ、胴体部左側面部が前記胴体部表面部及び前記胴体部裏面部の相対する左側各辺と一致するように重ね合わされており、
前記胴体部表面部及び前記胴体部裏面部の上部中央に前記スパウトが配置され、
前記胴体部表面部、胴体部裏面部、胴体部右側面部及び胴体部左側面部の重ね合わされた各周縁部をシールしたガゼット袋であり、
前記ガゼット袋は、当該ガゼット袋に内容物を充填し、スパウトを下向きにして前記ガゼット袋を、前記内容物を注入する容器に立てて置いた際に、前記上肩部がガゼット袋の内側に埋没するように形成されており、前記スパウトの少なくとも先端部分が埋没部分から突出しており、
前記ガゼット袋は、前記胴体部表面部及び前記胴体部裏面部上の前記２つの上肩部の端部であって、ガゼット袋中心側の端部を結ぶ線上若しくはその近傍に、及び、前記胴体部表面部及び前記胴体部裏面部上の前記２つの下肩部の端部であって、ガゼット袋中心側の端部を結ぶ線上若しくはその近傍に、山折りのエンボスを設けたものであることを特徴とするスパウト付きガゼット袋。
【発明の詳細な説明】
【技術分野】
【０００１】
本発明は、液体又は粘稠体を内容物として収容するスパウト付きガゼット袋（口栓付き包装袋）に関する。
【背景技術】
【０００２】
シャンプー、コンディショナーなどの粘稠な液体、液体又はゼリー状の飲料等の液体包装袋（容器）又は詰め替え袋（容器）として、プラスチックフィルム、金属蒸着フィルムなどを主要要素に用いた軟包装材製のスパウト（抽出口栓）付きガゼット（ひだ（ｇｕｓｓｅｔ））袋（７００）が知られている（例えば特許文献１〜３）。このようなスパウト付きガゼット袋（７００）は、例えば図７に示すように、矩形の胴体部表側シート（７０２）と胴体部裏側シート（７０４）の間に、矩形の胴体部右側面シート（７０６）と胴体部左側面シート（７０８）とを前記胴体部表及び裏側シート（７０２、７０４）の相対する上下左右各辺が一致するように重ね合わせ、且つこれらの胴体部表側及び裏側シート（７０２、７０４）の上部中央の間にスパウトキャップ（７１２ａ）を備えたスパウト（７１２）を備えるように、前記各胴体部シート（７０２、７０４、７０６、７０８）の各々四辺のシール部（７１０）によってシールされたものである。更に、このスパウト付きガゼット袋の前記矩形の胴体部左右側面シート（７０６、７０８）は、略中央部に一つの折りたたみ目（７１４、７１６）を有し、これにより、袋に形成された際に袋の内側に折りたたまれるようになっている。また、図７のガゼット袋は、スパウトを取り付けた上辺は、スパウトを中心にして、袋の左右方向（スパウトの取り付け方向に対して垂直な方向）に延びた上辺部（７１８）を有する。
【０００３】
このようなスパウト付きガゼット袋（７００）を、例えば詰め替え袋（容器）として使用する場合、詰め替えの際には、図８に示すように、ガゼット袋（７００）のスパウト（７１２）を容器（８０２）の開口部（８０４）に逆さまに差し込み、内容物を容器（８０２）に注ぐ。この注入の際、ガゼット袋（７００）の上辺部（７１８）が容器（８０２）の開口部（８０４）に当たり、且つガゼット袋の剛性でその重心が高くなり、手でガゼット袋（７００）を保持していないと、例えば前記上辺部（７１８）を中心にして、ガゼット袋がその前記胴体部表側及び裏側シート側に揺れて（図８の矢印方向）、ガゼット袋の安定性に欠けるという問題があった。
【０００４】
更に、前記スパウト付きガゼット袋は、図９に示すように、袋の下部辺にシール部（９０２）を有しているため、液体内容物を充填した際、このシール部（９０２）がガゼット袋の底部（９０４）から張り出し、このシール部の剛性により、ガゼット袋の自立性が乏しいという問題があった。
【０００５】
また、上記のようなスパウト付きガゼット袋の上辺部及び下辺部において、胴体部表側及び裏側シートと左右両側面シートとの交点である袋の四隅の各頂点を斜めにカットした六角形状のガゼット袋も開示されている（例えば特許文献４）。しかし、ガゼット袋の自立安定性を十分に改善するには至っていない。
【０００６】
上記の問題点を解決したスパウト付きガゼット袋が依然として求められている。
【先行技術文献】
【特許文献】
【０００７】
【特許文献１】特開平１０−７２０４４号公報
【特許文献２】特開平１１−９１７９８号公報
【特許文献３】特開平１１−２０８６７６号公報
【特許文献４】特開２０１２−２１０９７８号公報
【発明の概要】
【発明が解決しようとする課題】
【０００８】
本発明は、上記従来技術に鑑みてなされたものであり、内容物を容器に詰め替える際に自立性を有するスパウト付きガゼット袋を提供することを目的とする。また、本発明は、必要に応じて、前記自立性を有するスパウト付きガゼット袋において、内容物を充填した状態で、当該ガゼット袋を直立させた場合でもガゼット袋自体の自立性が確保された、自立性に優れたガゼット袋を提供することを目的とする。
【課題を解決するための手段】
【０００９】
本発明は、スパウト付きガゼット袋である。このスパウト付きガゼット袋は、胴体部表面部、胴体部裏面部、胴体部右側面部、胴体部左側面部、及び、キャップを備えたスパウトを含み、前記胴体部表面部及び前記胴体部裏面部は、その上部の２つのコーナーがカットされた２つの上肩部と、その下部の２つのコーナーがカットされた２つの下肩部を有する略六角形状を有し、前記胴体部右側面部及び前記胴体部左側面部は、前記ガゼット袋の上下方向で、その中央部において内側に折り込まれており、これらの胴体部右側面部及び胴体部左側面部は、前記胴体部表面部及び前記胴体部裏面部の間で、胴体部右側面部が前記胴体部表面部及び前記胴体部裏面部の相対する右側各辺と一致するように重ね合わされ、胴体部左側面部が前記胴体部表面部及び前記胴体部裏面部の相対する左側各辺と一致するように重ね合わされており、前記胴体部表面部及び前記胴体部裏面部の上部中央に前記スパウトが配置されたガゼット袋であり、前記ガゼット袋は、当該ガゼット袋に内容物を充填し、スパウトを下向きにして前記ガゼット袋を、前記内容物を注入する容器に立てて置いた際に、前記上肩部がガゼット袋の内側に埋没するように形成されており、前記スパウトの少なくとも先端部分が埋没部分から突出しており、前記ガゼット袋は、前記胴体部表面部及び前記胴体部裏面部上の前記２つの上肩部の端部であって、ガゼット袋中心側の端部を結ぶ線上若しくはその近傍に、及び、前記胴体部表面部及び前記胴体部裏面部上の前記２つの下肩部の端部であって、ガゼット袋中心側の端部を結ぶ線上若しくはその近傍に、山折りのエンボスを設けたものであることを特徴とする。
【発明の効果】
【００１１】
本発明によれば、自立性に優れたスパウト付きガゼット袋を提供することができる。
【図面の簡単な説明】
【００１２】
【図１】（ａ）は本発明のスパウト付きガゼット袋の正面概略図であり、（ｂ）は本発明のスパウト付きガゼット袋の側面概略図である。
【図２】本発明のスパウト付きガゼット袋の内容物を容器に注入する際のガゼット袋のスパウト及び上肩部周辺の形状を示す概略図である。
【図３】（ａ）〜（ｃ）は、本発明のスパウト付きガゼット袋の製造方法の手順を説明するための概略図である。
【図４】本発明のスパウト付きガゼット袋であって、自立性をより高めるための山折り形状のエンボスを設けたものを例示するための概略平面図である。
【図５】本発明のスパウト付きガゼット袋であって、山折り形状のエンボスを設け、内容物を充填した際の状態を示す概略斜視図である。
【図６】本発明のスパウト付きガゼット袋の内容物を容器に注入する際のガゼット袋のスパウト周辺部の形状を写した写真である。
【図７】従来のスパウト付きガゼット袋の概略を示す斜視図である。
【図８】従来のスパウト付きガゼット袋の内容物を容器に注入する際の様子を示す概略図である。
【図９】従来のスパウト付きガゼット袋に内容物を充填した際の様子を示す概略図である。
【発明を実施するための形態】
【００１３】
以下に本発明の実施形態を、図面を参照しながら説明する。なお、本明細書及び特許請求の範囲において用いる「上」、「下」等の用語は、説明の便宜上のものであって、空間における絶対的な方向を規定するものではない。
【００１４】
１）第１の実施形態
本発明の第１の実施形態を図１〜３を参照して説明する。なお、図１において、図の紙面の上下方向をガゼット袋の高さ方向とし、ガゼット袋のスパウトを備えた側を上部とし、対向する側を下部とする。
【００１５】
本発明のスパウト付きガゼット袋（１００）は、図１（ａ）及び（ｂ）に示すように、胴体部表面部（１０２）、胴体部裏面部（１０４）、胴体部右側面部（１０６）、胴体部左側面部（１０８）（図示せず）、及び、キャップ（１１０ａ)を備えたスパウト（１１０）を備える。胴体部表面部（１０２）及び胴体部裏面部（１０４）は、その上部の各コーナーがカットされた上部カット辺（１１２）及び下部の各コーナーがカットされた下部カット辺（１１４）を有し、胴体部右側面部及び胴体部左側面部（１０６、１０８）は、ガゼット袋の上下方向で、その中央部において内側に折り込まれるようになっている。これらの胴体部右側面及び左側面部（１０６、１０８）は、胴体部表面部（１０２）と胴体部裏面部（１０４）の間で、胴体部右側面部（１０６）と胴体部左側面部（１０８）が、胴体部表面及び裏面部（１０２、１０４）の相対する上下左右各辺が一致するように重ね合わせられる。そして、これらの胴体部表面及び裏面部（１０２、１０４）の上部中央の天シール部（１１６）にスパウトキャップ（１１０ａ）を備えたスパウト（１１０）が配置され、各胴体部の各部（１０２、１０４、１０６、１０８）が、天シール部（１１６）及び周辺シール部（１１８）によってシールされる。
【００１６】
本発明のスパウト付きガゼット袋は、上記構造により、胴体部表面及び裏面部に、上下全長部分（図１の領域Ａ）、下部（図１の領域Ｂ）、胴体上肩部（図１の領域Ｃ）、胴体下肩部（図１の領域Ｃ’）、胴体中央部（図１の領域Ｄ）、底中央部（図１の領域Ｅ）、天シール部（１１６）及び周辺シール部（１１８）を有する。また、本発明のスパウト付きガゼット袋は、胴体部左右側面部に、胴体側面部（図１（ｂ）の領域Ｆ）を有する。
【００１７】
本発明のスパウト付きガゼット袋は、図２に示すように、例えば内容物を容器（２０２）に移す際、胴体上肩部（図１（ｂ）の領域Ｃ）が、自重によりガゼット袋内側に陥没する。これにより、ガゼット袋の上部のスパウト取り付け部分を中心にして、胴体上肩部（図１の領域Ｃ）と胴体中央部（図１の領域Ｄ）の境界部分（２０４）が容器の外側（図２の紙面上下）方向に膨らみ、ガゼット袋の胴体部表面及び裏面部が円弧状に膨らむか、又は、ガゼット袋のスパウト取り付け側がスパウト側から見た場合に略六角形状又はその他の形状（例えば略四角形状、略八角形状など）を呈する。このように、胴体上肩部（図１（ｂ）の領域Ｃ）が自重によりガゼット袋内側に陥没することで、ガゼット袋の曲がり重心が下がり、ガゼット袋の自立安定性が高まる。
【００１８】
同様に、本発明のスパウト付きガゼット袋を、スパウトを上向きにして直立させた場合、ガゼット袋は、胴体下肩部においても、内容物による自重によってガゼット袋の底部の胴体部表面及び裏面部が円弧状に膨らむか、当該底部が底部側から見た場合に略六角形状又はその他の形状（例えば略四角形状、略八角形状など）を呈し、且つ胴体下肩部（図１の領域Ｃ’）と底中央部（図１の領域Ｅ）が、ガゼット袋底中央部のシール部によりガゼット袋内部に押し込まれて陥没し、底部の自立安定性が高まる。
【００１９】
本発明のスパウト付きガゼット袋において、胴体上肩部及び胴体下肩部を形成するための角度（図１のα）は、ガゼット袋が上述したような自立性を確保するための、胴体上肩部及び／又は胴体下肩部付近におけるガゼット袋の陥没（以下、ガゼット袋の作用及び機能とも称する）を実現できるものであれば特に限定されないが、３０〜６０度であることが好ましく、４５〜６０度がより好ましく、約４５度であることが更に好ましい。
【００２０】
本発明のスパウト付きガゼット袋は、内容物に応じて種々の大きさを有することができるが、例えばシャンプー又はコンディショナーなどの詰め替え用のガゼット袋の場合、天シール部及び周辺シール部（１１６、１１８）を含めた袋の上下長（図１の領域Ａの長さ）は１５０〜２２０ｍｍ、好ましくは約２００ｍｍであり、幅（図１（ａ）の領域Ｂの長さ）は７０〜１３０ｍｍ、好ましくは、約８４ｍｍであり、厚み（図１（ｂ）の領域Ｆの最大長さ（袋に内容物を充填し、膨らんだ状態の長さ））は、４０〜８０ｍｍ、好ましくは約５６ｍｍである。また、ガゼット袋の周辺シール部（１１８）の幅寸法は、３〜１５ｍｍ、好ましくは５〜１０ｍｍであり、天シール部の幅寸法は、５〜３０ｍｍ、好ましくは１５〜２０ｍｍである。
【００２１】
本発明のスパウト付きガゼット袋に用いる材料は、ガゼット袋が上述したようなガゼット袋の作用及び機能を実現できるものであれば特に限定されるものではなく、充填すべき内容物、包装用途に応じて適宜選択できる。例えば、ポリエチレン、ポリプロピレン、ポリエチレンテレフタレート、ナイロン、エチレン−酢酸ビニル共重合体、エチレン−ビニルアルコール共重合体、又はこれらの複合材料などを使用することができる。或いは、アルミニウム、銅、鉄、ステンレスなどの金属箔を上記プラスチックフィルムで挟んだ積層フィルムなどを用いることもできる。更に、酸素や水蒸気に対するガスバリア性が求められる場合には、アルミニウム、クロム、亜鉛、金、銀、白金、ニッケル等の金属、又は無機酸化物（Ａｌ2Ｏ3、ＳｉＯ2、ＭｇＯなど）を蒸着した薄膜を用いることもできる。また、フィルムの厚さは、袋の材質、袋の大きさ、内容物により種々変化するが、数μｍから数百μｍ、好ましくは５０〜１５０μｍである。
【００２２】
本発明のスパウト付きガゼット袋の製造方法は、当分野で公知の方法を適用することができる。例えば、図３に示すような、以下の手順で行うことができる。なお、図３（ａ）〜（ｃ）は、本発明のスパウト付きガゼット袋の製造の流れの一部を概略的に図示したものである。
【００２３】
まず、流れ方向に連続する胴体部表面及び裏面部用のフィルム（１０２’、１０４’）と、流れ方向に連続する左右一対の胴体部右側面及び左側面部用のフィルム（１０６’、１０８’）を準備する（図３（ａ））。次に、胴体部右側面及び左側面部用フィルム（１０６’、１０８’）を、胴体部表面及び裏面部用のフィルム（１０２’、１０４’）の間に位置する前に側部方向に開く２つ折り状態に加工する（図３（ｂ））。
【００２４】
これらの部材を、胴体部左側面及び右側面部用フィルム（１０６’、１０８’）が胴体部表面及び裏面部用フィルム（１０２’、１０４’）の間で、各周辺部（１１６、１１８）が揃うように配置し、天シール部（１１６）を除いた、周辺シール部（１１８）を熱圧着する。次いで、ガゼット袋部分を熱圧着した外周縁に沿って切り出し、天シール部（１１６）に、別途用意したスパウト（１１０）を挿入して、天シール部（１１６）を熱圧着し、スパウト付きガゼット袋を得る（図３（ｃ））。
【００２５】
熱圧着の手段としては、加熱金型による押圧加工、超音波金型による押圧加工などを用いることができる。
【００２６】
本発明のスパウト付きガゼット袋は、例えば、化学品業界での各種薬品（シャンプー、コンディショナー、液体入浴剤、液体洗剤など）、食品業界の各種製品（清涼飲料水、栄養剤、ミネラルウォーター、食料油類、コーヒー若しくは酒等の嗜好品、流動食類、インスタント食品など）等の液体、粘稠液体又はゼリー状の製品を収容する用途に使用することができる。特に、本発明のスパウト付きガゼット袋は、化学品業界での各種薬品（シャンプー、コンディショナー、液体入浴剤、液体洗剤など）の詰め替え用の袋として使用することができる。
【００２７】
２）第２の実施形態
本発明の第２の実施形態のスパウト付きガゼット袋について、図４〜５を参照して説明する。なお、図４において、上述した胴体部右側面部（１０６）及び胴体部左側面部（１０８）は、煩雑を避けるため省略した。また、図４において、ガゼット袋のスパウトを備えた側を上部とし、対向する側を下部とする。
【００２８】
本発明のスパウト付きガゼット袋（１００）は、図４に示すように、胴体部表面部（１０２）において、前記胴体部表面部上の前記２つの上肩部の端部であって、ガゼット袋中心側の端部（４０２、４０２’）を結ぶ線（４０４）上と、前記胴体部表面部上の前記２つの下肩部の端部であって、ガゼット袋中心側の端部（４０６、４０６’）を結ぶ線（４０８）上に、或いは、これらの線の近傍に、山折りの上部エンボスを設けることができる。同様に、胴体部裏面部（１０４）において、前記胴体部裏面部上の前記２つの上肩部の端部であって、ガゼット袋中心側の端部（４１０、４１０’）を結ぶ線（４１２）上と、前記胴体部裏面部上の前記２つの下肩部の端部であって、ガゼット袋中心側の端部（４１４、４１４’）、を結ぶ線（４１６）上に、或いは、これらの線の近傍に、山折りの下部エンボスを設けることができる。本発明では、図４に示すように、胴体部表面及び裏面部（１０２、１０４）の両方にエンボスを設けることが好ましい。また、本発明では、上記上部エンボスと下部エンボスの少なくとも一方を設けるようにしてもよい。
【００２９】
本明細書において、「山折り」とは、ガセット袋の構成部材に、ガゼット袋に形成した際の外側面に向けて山型の凸形状を形成するような部材の折り曲げかたをいう。また、「山折りエンボス」とは、上記のような「山折り」を形成するためのエンボスをいう。
【００３０】
前記上部エンボス及び前記下部エンボスを設ける位置、即ち上述した上肩部及び下肩部の端部の各線（４０４、４１２、４０８、４１６）は、ガゼット袋に内容物を充填し、当該ガゼット袋を上側又は下側から見た場合に、ガゼット袋の胴体部表面及び裏面部（１０２、１０４）が円弧状に広がるように、或いは、上部エンボス及び下部エンボスによりガゼット袋が、略四角形又は略六角形又は略八角形となるように設ければよい。即ち、前記上部エンボス及び前記下部エンボスは、上記各線上のみならず、当該線に近接した領域内に設けてもよい。
【００３１】
このようなエンボスを設けることにより、上述したような胴体上肩部（図１（ａ）の領域Ｃ）及び／又は胴体下肩部（図１（ａ）の領域Ｃ’）が、ガゼット袋に内容物を充填した際にその自重により、ガゼット袋内側へ陥没するのをより促進することができる。また、図５に示すように、内容物を充填した際に、上部及び下部エンボスを設けた部分が、ガゼット袋の胴体部表面及び裏面部の外側方向により膨らみ易くなり、スパウト付きガゼット袋の自立安定性が高まる。
【００３２】
エンボスの加工は、例えば、上記スパウト付きガゼット袋の胴体部表面及び裏面部用フィルム（１０２’、１０４’）のそれぞれに対して、両フィルムの外側方向（図３の紙面上下方向）に向けて山折りエンボスが設けられるようにすればよい。例えば、両フィルムの外側方向（図３の紙面上下方向）に向けて押圧処理を施す等の手段により、エンボス加工を胴体部表面及び裏面部用フィルム（１０２’、１０４’）に施すことができる。エンボス加工を施した胴体部表面及び裏面部（１０２、１０４）を用いて、上述の手順に従って、山折りエンボスを有するスパウト付きガゼット袋を製造することができる。
【００３３】
（実施例１）
図１に示されるようなスパウト付きガゼット袋を作製した。ガゼット袋の材料は、厚さ１５μｍのナイロンフィルムと、厚さ１２μｍのアルミ蒸着ポリエチレンテレフタレートフィルムと、厚さ１００μｍのポリエチレンフィルムとを用い、エステル−ウレタン系の２液硬化型接着剤を用いてドライラミネートした複合フィルムである。ガゼット袋の寸法は、上下長（図１の領域Ａの長さ）が２００ｍｍであり、幅（図１（ａ）の領域Ｂの長さ）が８４ｍｍであり、厚み（図１（ｂ）の領域Ｆ）が５６ｍｍである。また、ガゼット袋の周辺シール部（１１８）の幅寸法は、５ｍｍであり、天シール部の幅寸法は、１５ｍｍである。このようなガゼット袋に内容物（シャンプー）を充填し、空の容器の注入口に逆さまに挿入した。この状態を図６の写真に示した。図６に示すように、本発明のスパウト付きガゼット袋は、上肩部を有するので、自重により上肩部が外側方向に広がり、スパウトがガゼット袋の内側に押し込まれて陥没し、シール部が存在しても自立性が高まっていることがわかる。
【符号の説明】
【００３４】
１００    スパウト付きガゼット袋
１０２    胴体部表面部
１０２’    胴体部表面部用フィルム
１０４    胴体部裏面部
１０４’    胴体部裏面部用フィルム
１０６    胴体部右側面部
１０６’    胴体部右側面部フィルム
１０８    胴体部左側面部
１０８’    胴体部左側面部用フィルム
１１０    スパウト
１１０ａ    スパウトキャップ
１１２    上部カット辺
１１４    下部カット辺
１１６    天シール部
１１８    周辺シール部
２０２    容器
２０４    胴体上肩部と胴体中央部の境界部分
４０２、４０２’、４１０、４１０’    上肩部の端部
４０４、４１２    上肩部の端部を結ぶ線
４０６、４０６’４１４、４１４’    下肩部の端部
４０８、４１６    上肩部の端部を結ぶ線
７００    スパウト付きガゼット袋
７０２    胴体部表側シート
７０４    胴体部裏側シート
７０６    胴体部右側面シート
７０８    胴体部左側面シート
７１０    シール部
７１２    スパウト
７１２ａ    キャップ
７１４、７１６    折りたたみ目
７１８    上辺部
８０２    容器
８０４    容器開口部
【図１】
0006648419.tif 000002
【図２】
0006648419.tif 000003
【図３】
0006648419.tif 000004
【図４】
0006648419.tif 000005
【図５】
0006648419.tif 000006
【図６】
0006648419.tif 000007
【図７】
0006648419.tif 000008
【図８】
0006648419.tif 000009
【図９】
0006648419.tif 000010